(57)【要約】【課題】フィルムロールを包装装置に装着する作業を効率的に行うことが可能な包装用フィルムカセットを提供する。【解決手段】フィルムカセット２１のカセットケース２５は、フィルムロール２２を内部に収納する。カセットケース２５は、フィルムロール２２を回転可能に支持する。カセットケース２５の突出部２５７は、フィルムロール２２から引き出されたフィルム２４がカセットケース２５の外部に搬送されるフィルム排出口２６を下端に備える。フィルム排出口２６は、フィルムガイドローラ２３は、フィルム排出口２６に軸線方向に沿って設けられている。フィルムロール２２から引き出されたフィルム２４は、フィルムガイドローラ２３の後側を通って、フィルム排出口２６から外部に引き出される。【選択図】図７
2013233966.tif 000002
【特許請求の範囲】
【請求項１】
軸線方向に延び、包装用のフィルムが巻回されたフィルムロールと、
前記フィルムロールを内部に収納し、前記フィルムロールを回転可能に支持するカセットケースと、
前記フィルムロールから引き出された前記フィルムが前記カセットケースの外部に搬送される出口に前記軸線方向に沿って設けられたローラ部と
を備えたことを特徴とする包装用フィルムカセット。
【請求項２】
前記ローラ部は、
前記ローラ部の中心部を前記軸線方向に延びる軸部と、
前記軸部の周囲に回転可能に設けられ、前記軸線方向に複数設けられた円筒部材と
を備えたことを特徴とする請求項１に記載の包装用フィルムカセット。
【請求項３】
前記フィルムロールの前記軸線方向外側に位置し、前記フィルムロールの回転に伴って回転する第一ギアと、
前記カセットケースに設けられ、前記第一ギアを外部に露出させる孔部と
を備えたことを特徴とする請求項１又は２に記載の包装用フィルムカセット。
【請求項４】
前記第一ギアは、包装装置に設けられた回転速度が規制された第二ギアに噛合可能であることを特徴とする請求項３に記載の包装用フィルムカセット。
【発明の詳細な説明】
【技術分野】
【０００１】
本発明は、包装対象物を包装する包装用フィルムを内蔵した包装用フィルムカセットに関する。
【背景技術】
【０００２】
従来、製品を包装する包装装置が知られている。例えば、特許文献１に記載の包装機は、製品をコンベアで搬送し、その搬送過程でプラスチックフィルムによって製品をオーバーラップする。そして、包装機は、ヒートシール部材等によってプラスチックフィルムを加熱し、プラスチックフィルムによって製品を包装する。プラスチックフィルムは、プラスチックフィルムが巻回されたフィルムロールから引き出されて、搬送経路上のローラによって位置決めされながら搬送され、包装に使用される。
【先行技術文献】
【特許文献】
【０００３】
【特許文献１】特開平１−１１１６０４号公報
【発明の概要】
【発明が解決しようとする課題】
【０００４】
しかしながら、プラスチックフィルムが巻回されたフィルムロールを包装装置に装着する場合、フィルムロールに密着したフィルムをフィルムロールから剥がし、複数のローラを介して搬送経路を形成する必要がある。この場合に、一度フィルムロールから剥がしたフィルムがフィルムロールに張り付く場合があり、フィルムロールを包装装置に装着する作業を効率的に行えないという問題点があった。
【０００５】
本発明の目的は、フィルムロールを包装装置に装着する作業を効率的に行うことが可能な包装用フィルムカセットを提供することである。
【課題を解決するための手段】
【０００６】
本発明に係る包装用フィルムカセットは、軸線方向に延び、包装用のフィルムが巻回されたフィルムロールと、前記フィルムロールを内部に収納し、前記フィルムロールを回転可能に支持するカセットケースと、前記フィルムロールから引き出された前記フィルムが前記カセットケースの外部に搬送される出口に前記軸線方向に沿って設けられたローラ部とを備えている。この場合、カセットケース内にフィルムロールが配置される。そして、フィルムロールから引き出されたフィルムはローラ部の横を通ってカセットケースの出口から外部に引き出される。すなわち、フィルムの先端はカセットケースの外部に位置する。この場合、フィルムの先端とフィルムロールとの間にカセットケースが位置するため、一旦引き出されたフィルムの先端がフィルムロールに張り付くことが防止される。故に、フィルムロールを包装装置に装着する作業を効率的に行うことができる。
【０００７】
前記包装用フィルムカセットにおいて、前記ローラ部は、前記ローラ部の中心部を前記軸線方向に延びる軸部と、前記軸部の周囲に回転可能に設けられ、前記軸線方向に複数設けられた円筒部材とを備えてもよい。フィルムは伸縮するため、軸線方向におけるフィルムの部位毎にローラ部を通過するフィルムの速度が異なる場合がある。この場合でも、ローラ部には回転可能な円筒部材が複数設けられているので、個々の円筒部材が速度の異なるフィルムの部位に追従して回転することができる。故に、フィルムの引き出しをスムーズに行うことができる。
【０００８】
前記包装用フィルムカセットは、前記フィルムロールの前記軸線方向外側に位置し、前記フィルムロールの回転に伴って回転する第一ギアと、前記カセットケースに設けられ、前記第一ギアを外部に露出させる孔部とを備えてもよい。この場合、包装装置側の外部に設けられギアに第一ギアを噛合させて、例えば、フィルムロールの回転速度を規制してフィルムに張力を与えたり、フィルムロールを回転させる動力を付与したりすることができる。
【０００９】
前記包装用フィルムカセットにおいて、前記第一ギアは、包装装置に設けられた回転速度が規制された第二ギアに噛合可能であってもよい。この場合、第二ギアの回転速度が規制されるため、第一ギアの回転速度が規制される。このため、フィルムロールの回転速度が規制される。故に、フィルムが引き出される場合にフィルムに対して張力が発生する。よって、適切な張力が付与された状態でフィルムを搬送することができ、フィルムに張力が付与されない場合に比べて、フィルムが包装対象物に密着し易くなる。
【図面の簡単な説明】
【００１０】
【図１】フィルムカセット２１が載置された包装装置１の前方からの斜視図である。
【図２】フィルムカセット２１が載置された包装装置１の後方からの斜視図である。
【図３】フィルムカセット２１及び包装装置１の内部構成を示す図である。
【図４】フィルムカセット２１の前方からの斜視図である。
【図５】フィルムカセット２１の後方からの斜視図である。
【図６】カセットケース２５の右側半分を断面にしてフィルムカセット２１の内部構造を示した斜視図である。
【図７】フィルムカセット２１の断面図である。
【図８】フィルムカセット２１の平面図である。
【図９】フィルムガイドローラ２３の平面図である。
【図１０】フィルムガイドローラ２３の１つの円筒部材２３２の斜視図である。
【図１１】包装対象物３と台座８０とが包装される過程を示す第一の図である。
【図１２】包装対象物３と台座８０とが包装される過程を示す第二の図である。
【図１３】包装対象物３と台座８０とが包装される過程を示す第三の図である。
【図１４】包装対象物３と台座８０とが包装される過程を示す第四の図である。
【００１１】
以下、本発明の一実施形態について、図面を参照して説明する。以下の説明では、図１の紙面左下側、右上側、左上側、右下側、上側、下側を、それぞれ、包装装置１の前側、後側、左側、右側、上側、下側として説明する。
【００１２】
フィルムカセット２１が使用される包装装置１の概要について説明する。包装装置１は、台紙等の台座８０上に載置された物品３（以下、包装対象物３という。）を、平面視矩形状の台座８０と共にフィルム２４によって包装する装置である（図１４参照）。包装装置１は、後側から前側に向けて台座８０を搬送しつつ、台座８０及び包装対象物３を包装する（図１１〜図１４参照）。以下の説明では、前側を搬送方向下流側といい、後側を搬送方向上流側という場合がある。
【００１３】
図１及び図２に示すように、包装装置１は、平面視矩形状の底部の左右方向の端部から上方に立設された側板部１１１、１１２を備える。側板部１１１は、包装装置１の右側に設けられる。側板部１１２は、包装装置１の左側に設けられる。以下、側板部１１１、１１２を総称する場合、側板部１１という。側板部１１の形状は、上下方向を長手方向とする略長方形の板状である。側板部１１１、１１２の各内面は対向している。側板部１１１、１１２は、上端且つ側板部１１１、１１２で挟まれる部分に、フィルムカセット２１を支持する。また、側板部１１１，１１２の内面には、スリット１７が設けられている。スリット１７は、左右の側板部１１の搬送方向略中央を上下方向に延びる。
【００１４】
側板部１１１、１１２の上端には、ギア１１３が設けられている（図１及び図２参照）。図１及び図２では、側板部１１１の上端のギア１１３のみを図示している。フィルムカセット２１が側板部１１１，１１２の上端に配置された場合、ギア１１３は、フィルムカセット２１のギア２７３に噛合する（図８参照）。ギア１１３は、図示外のクラッチバネによって回転速度が規制されている。
【００１５】
フィルムカセット２１は、フィルム２４が巻回されたフィルムロール２２を内部に収容する（図７参照）。フィルムカセット２１に詳細については後述する。包装対象物３が載置された台座８０は、フィルムカセット２１の下方且つ側板部１１１、１１２間を、搬送方向上流側から下流側に向けて搬送され、包装される。
【００１６】
図１に示すように、側板部１１は、搬送方向下流側の端部で第一受け台１２を支持する。第一受け台１２の形状は、平面視で左右方向を長手方向とする略長方形の板状である。第一受け台１２は、側板部１１１、１１２間を搬送方向上流側から下流側に向けて台座８０が搬送され、フィルム２４による包装が完了した場合に、包装が完了した台座８０を上面で受ける。以下、第一受け台１２の上面を第一支持面１４という。第一支持面１４は、搬送部４０（後述）の搬送方向下流側に位置し、搬送部４０によって搬送される台座８０を支持する。  第一受け台１２の左右の端部には、案内部１６が設けられている。案内部１６は、下端に左右方向に凹んだ溝部１６４を備えている。台座８０は、溝部１６４に沿って案内される。
【００１７】
図２に示すように、側板部１１は、搬送方向上流側の端部で第二受け台１３を支持する。第二受け台１３の形状は、平面視で左右方向を長手方向とする略長方形の板状である。第二受け台１３は、側板部１１１、１１２間に向けて搬送方向上流側から搬送される台座８０を上面で支持する。以下、第二受け台１３の上面を第二支持面１５という。第二支持面１５は、搬送部４０の搬送方向上流側に位置し、搬送部４０によって搬送される台座８０を支持する。
【００１８】
図１及び図２に示すように、第一受け台１２の第一支持面１４及び第二受け台１３の第二支持面１５は同一平面を形成する。包装対象物３が載置された台座８０は、形成された平面上を、搬送方向上流側から下流側に向けて搬送される。以下の説明では、第一受け台１２の第一支持面１４及び第二受け台１３の第二支持面１５によって形成される平面であって、搬送される台座８０が通過する平面を、搬送面という。
【００１９】
図１〜図３、図１１、及び図１３を参照して、包装装置１の内部構造について説明する。図３に示すように、包装装置１は、左右の側板部１１に搬送部４０を備えている。搬送部４０は、搬送ローラ４１と付勢ローラ４２とを備える。搬送ローラ４１は搬送面の下側に設けられ、付勢ローラ４２は搬送面の上側に設けられる。搬送ローラ４１及び付勢ローラ４２は、搬送面を挟んで対向している。
【００２０】
搬送ローラ４１及び付勢ローラ４２は、台座８０の左右の端部に接触する。搬送ローラ４１は、例えば、ギア状のローラである。搬送ローラ４１は、台座８０の下方から接触した状態で回転する。付勢ローラ４２は、例えば、車輪状のゴムローラである。付勢ローラ４２は、台座８０に対して上方から接触した状態で、台座８０の左右の端部下方に付勢する。搬送ローラ４１及び付勢ローラ４２によって挟まれた台座８０は、搬送ローラ４１の回転によって、搬送方向上流側から下流側に向けて搬送される。
【００２１】
図１〜図３に示すように、包装装置１はガイドローラ７１、７３を備える。ガイドローラ７１、７３は、側板部１１１、１１２で挟まれる部分、且つ、搬送面よりも下方に設けられる。ガイドローラ７１は、第二支持面１５と搬送部４０との間に位置する。ガイドローラ７３は、第一支持面１４と搬送部４０との間に位置する。
【００２２】
ガイドローラ７１は、軸部７１１及び複数のローラ部７１２を備える。ガイドローラ７３は、軸部７３１及び複数のローラ部７３２を備える。軸部７１１、７３１は、側板部１１１、１１２間に架け渡される。複数のローラ部７１２は、軸部７１１の軸方向に等間隔に設けられる。複数のローラ部７３２は、軸部７３１の軸方向に等間隔に設けられる。ガイドローラ７１、７３は、搬送ローラ４１及び付勢ローラ４２によって搬送される台座８０を、第一受け台１２及び第二受け台１３間で下方から支持する。ガイドローラ７１、７３は、搬送方向上流側から下流側に向けて搬送される台座８０を、第二受け台１３から第一受け台１２に誘導する。
【００２３】
図３に示すように、包装装置１は、搬送部４０の上流側且つ搬送面の下側に保持ローラ７２を備える。保持ローラ７２の形状は円柱形である。保持ローラ７２は左右方向に延びる。保持ローラ７２の左右方向の端部は、保持部６１によって回転可能に支持される。保持部６１は揺動可能である。保持部６１は、ガイドローラ７１の搬送方向下流側に保持ローラ７２が配置した状態（図１２参照）と、ガイドローラ７１に対して保持ローラ７２が下方に離隔した状態（図１３参照）とに切り替えることができる。保持ローラ７２は、ガイドローラ７１の搬送方向下流側に配置した状態で、フィルムカセット２１から引き出されたフィルム２４をガイドローラ７１との間で挟持することが可能となる。
【００２４】
図３及び図１１に示すように、包装装置１は切断部７７を備える。切断部７７は上面から上方に向けて突出する刃部７７１（図１１参照）を備える。刃部７７１は、左右方向に延びる。切断部７７には、ガイドレール７４が挿通する。ガイドレール７４は、側板部１１１、１１２で挟まれる部分、且つ、ガイドローラ７３の下方に設けられる。ガイドレール７４は、側板部１１１、１１２間に架け渡される。切断部７７がガイドレール７４に沿って左右方向に移動することによって、刃部７７１はフィルム２４を切断する。
【００２５】
図３及び図１１に示すように、包装装置１は、誘導ローラ３１及び補助ローラ３２を備える。誘導ローラ３１及び補助ローラ３２の形状は略円柱形である。誘導ローラ３１及び補助ローラ３２は左右方向に延びる。誘導ローラ３１の左右の端部は、第一支持部３３によって離脱可能に支持される。補助ローラ３２の左右の端部は、第一支持部３３によって支持される。
【００２６】
第一支持部３３はスリット１７（図１及び図２参照）に沿って上下方向に移動可能である。第一支持部３３がスリット１７に沿って上下方向に移動することによって、誘導ローラ３１及び補助ローラ３２は上下方向に移動する（図１２及び図１３参照）。以下、第一支持部３３がスリット１７に沿って移動することによって誘導ローラ３１が上下方向に移動する場合の誘導ローラ３１の経路を、第一経路という場合がある。
【００２７】
図３及び図１１は、第一支持部３３が第一経路の最上位に移動した状態を示している。図３に示すように、第一支持部３３が第一経路の最上位に移動した状態で、第一支持部３３は、フィルム２４が収容されたフィルムカセット２１（図１参照）の左右両側に配置する。図３及び図１１に示すように、第一支持部３３が最上位に移動した状態で、誘導ローラ３１及び補助ローラ３２は、搬送面の上方且つフィルムカセット２１の下方に位置する。
【００２８】
図１３は、第一支持部３３（図３参照）が最下位に移動した状態を示している。包装装置１は、第一支持部３３が最下位に移動した状態における誘導ローラ３１及び補助ローラ３２の下方に、第二支持部５１及び保持部６１を備える（図３参照）。第二支持部５１は、搬送方向に移動可能である。第二支持部５１は、第一支持部３３から離脱した誘導ローラ３１を支持する。第二支持部５１が搬送方向に移動することによって、誘導ローラ３１は搬送方向に移動する（図１３及び図１４参照）。以下、第二支持部５１の移動によって誘導ローラ３１が搬送方向に移動する場合の誘導ローラ３１の経路を、第二経路という場合がある。第一支持部３３及び第二支持部５１が移動することによって、誘導ローラ３１は、第一経路及び第二経路に沿って移動することになる。
【００２９】
図３〜図１０を参照して、フィルムカセット２１について説明する。以下の説明では、図４の紙面左下側、右上側、左上側、右下側、上側、下側を、それぞれ、フィルムカセット２１の前側、後側、左側、右側、上側、下側として説明する。
【００３０】
図３〜図８に示すように、フィルムカセット２１は、フィルムロール２２（図６参照）、カセットケース２５、及びフィルムガイドローラ２３を備えている。カセットケース２５は、フィルムロール２２を内部に収納する。カセットケース２５は、フィルムロール２２を回転可能に支持する。フィルムロール２２は円筒状であり、左右方向に延びる。以下の説明では、フィルムカセット２１の左右方向を軸線方向という場合がある。図３及び図７に示すように、フィルムロール２２は、中心部に円筒状の芯部２２１を備え、芯部２２１の周囲に包装用のフィルム２４が巻回されている。
【００３１】
図６に示すように、フィルムロール２２の軸線方向（左右方向）の両端部には、固定部材２７が固定されている。図６では、右側の固定部材２７のみを図示している。固定部材２７は、壁部２７１、筒部２７２、及びギア２７３を備えている。壁部２７１は側面視円形の板状であり、フィルムロール２２の左右の端に配置されている。
【００３２】
筒部２７２は、壁部２７１からフィルムロール２２の左右方向内側に向けて所定長さで突出している。筒部２７２は、フィルムロール２２の芯部２２１の内周に沿った径を有している。筒部２７２が芯部２２１の内周に嵌められることで、固定部材２７がフィルムロール２２に固定される。壁部２７１の中央部からは、円柱状の軸部（図示外）が軸線方向外側に突出している。該軸部は、壁部２７１に固定されている。ギア２７３は、該軸部の周囲に固着されている。即ち、ギア２７３は、フィルムロール２２の軸線方向外側に位置する。左右の固定部材２７のギア２７３は、カセットケース２５の左右の突出部２５３，２５４（後述）の内側に位置する（図８参照）。フィルム２４が引き出されることによってフィルムロール２２が回転すると、固定部材２７が回転する。このため、ギア２７３が回転する。
【００３３】
図４に示すように、カセットケース２５は、上カセットケース２５１と下カセットケース２５２とを備えている。カセットケース２５は側面視で丸みを帯びており、後端部が下方に突出している（図５及び図７参照）。図８に示すように、カセットケース２５の軸線方向の右面には、軸線方向右側に向けて突出する突出部２５３が設けられている。カセットケース２５の軸線方向の左面には、軸線方向右側に向けて突出する突出部２５４が設けられている。突出部２５３の前面には、孔部２５５が設けられている。突出部２５４の前面には、孔部２５６が設けられている。突出部２５３，２５４の孔部２５５，２５６は、左右のギア２７３を外部に露出させる。
【００３４】
図５及び図７に示すように、カセットケース２５の後端部の下部には、軸線方向に亘って下方に突出する突出部２５７が設けられている。突出部２５７は、フィルムロール２２から引き出されたフィルム２４がカセットケース２５の外部に搬送されるフィルム排出口２６を下端に備える（図７参照）。フィルム排出口２６は、突出部２５７の下端が軸線方向に亘って開放された孔部である。
【００３５】
図６及び図７に示すように、フィルムガイドローラ２３は、フィルム排出口２６に軸線方向に沿って設けられている。図９に示すように、フィルムガイドローラ２３は、軸部２３１と、円筒部材２３２とを備えている。軸部２３１は、フィルムガイドローラ２３の中心部を軸線方向に延びる。図４及び図５に示すように、軸部２３１の左右の端部は、突出部２５７の下端部に軸線方向に設けられた孔部２５８に支持されている。なお、軸部２３１は回転しないが、軸部２３１が回転可能であってもよい。
【００３６】
図１０に示すように、円筒部材２３２は、中心部に孔を有する筒状に形成されている。図９に示すように、円筒部材２３２は、軸部２３１の周囲に回転可能に複数（５つ）設けられている。複数の円筒部材２３２は、軸線方向に並んでいる。図７に示すように、フィルムロール２２から引き出されたフィルム２４は、フィルムガイドローラ２３の後側を通って、フィルム排出口２６から外部に引き出される。フィルム２４が引き出された場合、円筒部材２３２は、フィルム２４との接触抵抗によってフィルム２４が引き出されるのに伴って回転する。
【００３７】
図５及び図７に示すように、カセットケース２５の突出部２５７の前側には、上方に向かって凹んだ凹部２５９が設けられている。カセットケース２５が包装装置１に装着された場合、補助ローラ３２が凹部２５９に位置する（図１１参照）。
【００３８】
図１１〜図１４を参照し、包装対象物３及び台座８０がフィルム２４によって包装される場合の包装装置１の動作について説明する。
【００３９】
はじめに、ユーザは、フィルムカセット２１を側板部１１の上端に配置する（図１及び図１１参照）。フィルムカセット２１の突出部２５３，２５４が側板部１１の上端に支持される。このとき、突出部２５３，２５４の孔部２５５，２５６から外部に露出したギア２７３が、側板部１１の上端に設けられたギア１１３に噛合する（図１参照）。
【００４０】
ユーザは、フィルムカセット２１のフィルム排出口２６から排出されたフィルム２４を、手動で引き出す。ユーザは、引き出したフィルム２４の先端を、ガイドローラ７１の下流側に配置する。ユーザは、保持部６１が揺動して保持ローラ７２がガイドローラ７１の下流側に配置するように、包装装置１を操作する。図１１に示すように、フィルムカセット２１から引き出されたフィルム２４の先端は、ガイドローラ７１及び保持ローラ７２によって搬送方向両側から挟持される。
【００４１】
フィルム２４を引き出す場合、フィルムカセット２１のギア２７３に噛合するギア１１３の回転速度が規制されているので、ギア２７３と共に回転するフィルムロール２２の回転速度が規制され、引き出されるフィルム２４には張力が加わっている。このためフィルム２４は、搬送面に対して略鉛直方向（上下方向）に真っ直ぐに延びた状態になる（図１１参照）。
【００４２】
図１１では、第一支持部３３（図３参照）は最上位に配置されている。補助ローラ３２は、フィルムカセット２１の凹部２５９に位置する。第二支持部５１は搬送方向の最上流側に配置されている。切断部７７は左端に配置されている。作業者は、包装対象物３を台座８０に載置する。作業者は、包装対象物３を載置した台座８０を、第二受け台１３の第二支持面１５に載置する。作業者は、台座８０の先端（下流側の端部）を搬送部４０に配置するために、台座８０を下流側に向けて送り出す。このとき、台座８０の下流側の端部は、第二受け台１３、ガイドローラ７１、及び保持ローラ７２上を順に移動する。台座８０の下流側の端部はフィルム２４に接触する。
【００４３】
さらに作業者は台座８０を下流側に向けて送り出す。台座８０の下流側の端部はフィルム２４を下流側に押す。搬送部４０のやや上流側に設けられたセンサ４３１（図１参照）は、台座８０の下流側の端部によって下方に押されてオンする。センサ４３１がオンされると、包装装置１は、搬送ローラ４１の回転を開始する。台座８０の下流側の端部が、搬送部４０に配置されると、搬送部４０は台座８０を上下方向から挟む。搬送部４０は、下流側に向けて台座８０を適切に搬送する。
【００４４】
台座８０が下流側に移動することによって、台座８０及び包装対象物３の下流側の端部はフィルム２４に押し当てられる。フィルム２４は、台座８０及び包装対象物３との接触部分で曲折する。フィルムカセット２１からフィルム２４が徐々に引き出される。フィルムカセット２１のギア２７３に噛合するギア１１３の回転速度が規制されているので、ギア２７３と共に回転するフィルムロール２２の回転速度が規制され、引き出されるフィルム２４には張力が加わっている。このため、台座８０及び包装対象物３の下流側にフィルム２４が強く押し当てられる。フィルム２４は、台座８０及び包装対象物３の下流側を覆う位置で、台座８０及び包装対象物３に密着する。
【００４５】
下流側に向かう方向の力がフィルム２４に加わることによって、ガイドローラ７１及び保持ローラ７２からフィルム２４の先端が離れる。フィルム２４の先端は台座８０に追従して移動し、台座８０及び保持ローラ７２間を通過する。フィルム２４の先端は、保持ローラ７２によって下方から台座８０の底面に押し付けられる。フィルム２４の先端は、台座８０の下流側且つ底面に設けられた粘着部に接着される。
【００４６】
搬送部４０は継続して台座８０を下流側に搬送する。センサ４３１（図１参照）上を台座８０が通過すると、センサ４３１がオフし、包装装置１は、搬送ローラ４１の回転を停止する。図１２に示すように、台座８０及び包装対象物３の上側を覆う位置にフィルム２４が配置される。
【００４７】
図１２及び図１３に示すように、包装装置１は、ガイドローラ７１から保持ローラ７２が離間する向きに保持部６１を揺動させる（図１２の矢印６５参照）。次いで、包装装置１は、第一支持部３３を第一経路に沿って最上位から最下位に移動させる（図１２の矢印６６参照）。誘導ローラ３１は、下方に配置するフィルム２４に上側から接触し、下方に向けて誘導する。フィルム２４は、台座８０及び包装対象物３の上流側を覆う位置に配置される。
【００４８】
図１３に示すように、第一支持部３３が最下位に移動した場合、誘導ローラ３１は、ガイドローラ７１の下流側の近傍に配置する。この位置で、誘導ローラ３１は第一支持部３３（図３参照）から第二支持部５１（図３参照）に受け渡される。補助ローラ３２は、第一支持部３３が最下位に移動することによって、ガイドローラ７１の上方に配置した状態となる。
【００４９】
図１３及び図１４に示すように、包装装置１は、第二支持部５１を第二経路に沿って最上流側から最下流側に移動させる。第二支持部５１に支持された誘導ローラ３１は、台座８０の上流側且つ底面を第二経路に沿って下流側に移動する。図１４に示すように、フィルム２４は、台座８０及び包装対象物３の上流側を覆う位置から下方に延び、台座８０の上流側の端部に接触し、台座８０の底面に沿って下流側に曲折する。フィルム２４は、誘導ローラ３１が下流側に移動する過程で、台座８０の上流側且つ底面に押し付けられる。これによって、台座８０の底面の上流側の端部に設けられた粘着部にフィルム２４が接着される。
【００５０】
次いで、包装装置１は、ガイドレール７４に沿って切断部７７を左端から右端に移動させる。刃部７７１は、フィルム２４のうち誘導ローラ３１から補助ローラ３２に向けて延びる部分を切断する。なお、フィルムカセット２１のギア２７３に噛合するギア１１３の回転速度が規制されているので、ギア２７３と共に回転するフィルムロール２２の回転速度が規制され、引き出されるフィルム２４には張力が加わっている。このため、誘導ローラ３１から補助ローラ３２に向けて延びるフィルム２４にも張力が加わっている状態となる。従って刃部７７１は、フィルム２４を適切に切断できる。
【００５１】
フィルム２４の先端、及び刃部７７１によって切断された端部は、台座８０の底面に貼り付けられた状態となる。包装対象物３はフィルム２４によって台座８０上に固定される。フィルム２４は包装対象物３に密着し、取扱者は外部から包装対象物３を直接触ることができなくなる。包装対象物３はフィルム２４によって保護された状態となる。台座８０及び包装対象物３のフィルム２４による包装は完了する。
【００５２】
以上のように台座８０及び包装対象物３の包装が行われる。本実施形態では、フィルム２４は、フィルムガイドローラ２３の横（後側）を通って、フィルム排出口２６から外部に引き出されている（図７参照）。すなわち、フィルム２４の先端はカセットケース２５の外部に位置する。この場合、フィルム２４の先端とフィルムロール２２との間にカセットケース２５が位置するため、一旦引き出されたフィルム２４の先端がフィルムロール２２に張り付くことが防止される。故に、フィルムロール２２に張り付いたフィルム２４の先端を探してフィルム２４をフィルムロール２２から剥がす作業を行う必要がなく、フィルムロール２２を包装装置１に装着する作業を効率的に行うことができる。
【００５３】
また、フィルム２４が引き出されながら、包装対象物３と台座８０とが包装される。フィルム２４は伸縮するため、軸線方向（フィルム２４の幅方向）におけるフィルム２４の部位ごとに、フィルムガイドローラ２３を通過するフィルム２４の速度が異なる場合がある。本実施形態では、フィルムガイドローラ２３には、回転可能な円筒部材２３２が複数設けられているので（図９参照）、個々の円筒部材２３２が互いに異なる回転速度で回転することができる。故に、軸線方向におけるフィルムガイドローラ２３を通過するフィルム２４の速度が異なった場合でも、個々の円筒部材２３２が速度の異なるフィルム２４の部位に追従して回転することができる。故に、フィルムの引き出しをスムーズに行うことができる。
【００５４】
また、フィルムカセット２１は、フィルムロール２２の回転に伴って回転するギア２７３を外部に露出する孔部２５５，２５６を備えている（図８参照）。そして、孔部２５５，２５６を介してギア２７３をギア１１３に噛合させることができる（図１参照）。フィルムカセット２１のギア２７３に噛合するギア１１３の回転速度が規制されているので、ギア２７３と共に回転するフィルムロール２２の回転速度が規制され、引き出されるフィルム２４に張力を加えることができる。よって、適切な張力が付与された状態でフィルム２４を搬送することができ、フィルム２４の張力が付与されない場合に比べて、フィルム２４が包装対象物３に密着し易くなる。
【００５５】
上記実施形態において、フィルム排出口２６が本発明の「出口」に相当し、ギア２７３が本発明の「第一ギア」に相当する。フィルムガイドローラ２３が本発明の「ローラ部」に相当し、包装装置１のギア１１３が本発明の「第二ギア」に相当する。
【００５６】
なお、本発明は上記の実施形態に限定されるものではなく、種々の変更が可能である。例えば、フィルムカセット２１のギア２７３は、ギア１１３に噛合され、張力が与えられていたが、これに限定されない。例えば、包装装置１のギア１１３が回転駆動するギアであり、フィルムカセット２１のギア２７３がギア２７３に噛合し、ギア１１３によってフィルムロール２２を回転させるための動力が付与されてもよい。このように、フィルムカセット２１のギア２７３が孔部２５５，２５６によって外部に露出されているため、例えば、フィルムロール２２の回転速度を規制してフィルム２４に張力を与えたり、フィルムロール２２を回転させる動力を付与したりすることができる。
【００５７】
また、フィルムガイドローラ２３の円筒部材２３２は複数設けられていたが、これに限定されない。例えば、円筒部材２３２は左右方向に長い一本の円筒部材であってもよい。また、フィルムガイドローラ２３は、軸部２３１と円筒部材２３２とを備えていたが、これに限定されない。例えば、フィルムガイドローラ２３は、１本の回転可能なローラであってもよい。
【００５８】
また、フィルムカセット２１にギア２７３が設けられていたが、これに限定されない。例えば、フィルムカセット２１にはギア２７３が設けられていなくてもよい。この場合、孔部２５５，２５６は設けられていなくてもよい。この場合でも、フィルムカセット２１の内部にフィルムロール２２が回転可能に支持されていれば、フィルム２４を引き出して包装を行うことができる。また、フィルムカセット２１のギア２７３は、軸線方向の両端部に設けられていたが、これに限定されない。例えば、フィルムカセット２１には、軸線方向の片側のみギア２７３が設けられていてもよい。
【００５９】
また、台座８０を搬送する態様は本実施形態の場合に限定されない。例えば、台座８０を装着可能な搬送部材（例えば、台座８０を載置可能なトレイや、台座８０の左右の端部に装着可能な部材など）に装着し、該搬送部材が搬送部４０によって搬送されることで、台座８０が搬送されてもよい。
【符号の説明】
【００６０】
１    包装装置
２１    フィルムカセット
２２    フィルムロール
２３    フィルムガイドローラ
２４    フィルム
２５    カセットケース
２６    フィルム排出口
１１３    ギア
２３１    軸部
２３２    円筒部材
２５５，２５６    孔部
２７３    ギア
【図１】
2013233966.tif 000003
【図２】
2013233966.tif 000004
【図３】
2013233966.tif 000005
【図４】
2013233966.tif 000006
【図５】
2013233966.tif 000007
【図６】
2013233966.tif 000008
【図７】
2013233966.tif 000009
【図８】
2013233966.tif 000010
【図９】
2013233966.tif 000011
【図１０】
2013233966.tif 000012
【図１１】
2013233966.tif 000013
【図１２】
2013233966.tif 000014
【図１３】
2013233966.tif 000015
【図１４】
2013233966.tif 000016